(57)【要約】【課題】手が濡れた状態で操作しても、手が滑ることがないハンドルを提供する。【解決手段】金属製のハンドル１であって、表面のうちの少なくとも手と接触する部分に、ショットブラスト等の加工法により複数の微小凹凸２を設け、各凸部３の先端を尖った形状に形成する。手が濡れた状態でハンドル１を操作して、手とハンドル１との間に水が介在しても、複数の微小凹凸２によって摩擦力を高めることができるので、手が滑るようなことはなく、確実にハンドル１を操作することができ、良好な操作性が得られる。【選択図】        図１
2004162302.tif 000002
【特許請求の範囲】
【請求項１】
金属又は合成樹脂からなるハンドルであって、表面のうちの少なくとも手と接触する部分に、複数の微小凹凸を設けたことを特徴とするハンドル。
【請求項２】
前記微小凹凸の各凸部の先端を尖らせたことを特徴とする請求項１に記載のハンドル。
【請求項３】
前記微小凹凸の各凸部の先端を丸めたことを特徴とする請求項１に記載のハンドル。
【発明の詳細な説明】
【０００１】
【発明の属する技術分野】
本発明は、ハンドルに関し、特に、水道の蛇口等に用いられるハンドルに関するものである。
【０００２】
【従来の技術】
水道の蛇口等に用いられるハンドルには種々のタイプのものがあり、例えば、合成樹脂からなる上端が閉塞された円筒状をなすものや、金属からなる略三角形状をなすもの等が一般に知られている。
【０００３】
そして、このような構成のハンドルを蛇口内の流路を開閉するバルブを可動ささせる回転軸に連結し、ハンドルを操作して回転軸を回転させてバルブを可動させることにより、蛇口内の流路を開放して流出口から水を流出させたり、流路を閉塞して流出口からの水の流出を停止させたり、流路の開口面積を調整して流出口から流出する水の流量を調整したりすることができるものである。
【０００４】
このような構成のハンドルにあっては、ハンドルの操作時にハンドルの表面に設けた複数の溝に手の一部を引っ掛けることにより、手が滑るのを防止したり、角部に手の一部を引っ掛けることにより、手が滑るのを防止している。
【０００５】
【発明が解決しようとする課題】
しかしながら、上記のような構成のハンドルにあっては、表面が滑らかに形成されているために、手が濡れた状態でハンドルを操作すると、その水が手とハンドルとの間に介在して摩擦力が低下し、手が滑ってしまい、操作性が悪化してしまう。
【０００６】
本発明は、上記のような従来の問題を解決したものであって、手が濡れた状態で操作しても、手が滑るようなことがなく、良好な操作性が得られるハンドルを提供することを目的とするものである。
【０００７】
【課題を解決するための手段】
上記のような課題を解決するために、本発明の請求項１に係るハンドルは、金属又は合成樹脂からなるハンドルであって、表面のうちの少なくとも手と接触する部分に、複数の微小凹凸を設けた手段を採用したものである。また、請求項２に係るハンドルは、請求項１に記載のハンドルにおいて、前記微小凹凸の各凸部の先端を尖らせた手段を採用したものである。さらに、請求項３に係るハンドルは、請求項１に記載のハンドルにおいて、前記微小凹凸の各凸部の先端を丸めた手段を採用したものである。
【０００８】
【作用】
本発明は、上記のような手段を採用したことにより、ハンドルの表面のうち、少なくとも手と接触する部分には複数の微小凹凸が設けられているので、微小凹凸の各凸部の先端部が手に接触することになる。従って、手が濡れた状態でハンドルを操作し、手とハンドルとの間に水が介在しても、ハンドルの表面の微小凹凸によって摩擦力を高めることができるので、手が滑るようなことはなく、良好な操作性が得られることになる。
【０００９】
【発明の実施の形態】
以下、図面に示す本発明の実施の形態について説明する。
図１及び図２には、本発明によるハンドルの一実施の形態が示されていて、このハンドル１は、水道の蛇口等に用いられるものであって、図示しない蛇口内の流路を開閉するバルブを可動させる回転軸に取り付けられるようになっている。
【００１０】
すなわち、このハンドル１は、図１に示すように、３つの角部４、４、４を有する略三角形状をなすものであって、ステンレス等の金属によって形成されるようになっている。
【００１１】
ハンドル１の表面には、複数の微小凹凸２が設けられている。微小凹凸２は、ショットブラスト等の加工法により加工されるものであって、使用するショットに応じた形状に形成されるようになっている。この実施の形態においては、図２に示すように、微小凹凸２の各凸部３の先端が尖った形状となるようなショットを使用している。
【００１２】
微小凹凸２は、ハンドル１の表面のうちの少なくとも手と接触する部分に設けられる。但し、ショットブラスト等による生産効率を高めるために表面の全体に設けるようにしても良い。
【００１３】
そして、上記のように構成したハンドル１を回転軸（図示せず）の端部に取り付け、ハンドル１を回転させることにより、ハンドル１に追従して回転軸が回転し、回転軸の回転に追従してバルブ（図示せず）が蛇口内の流路を開閉し、流出口からの水の流出を許容したり、流出口からの水の流出を停止したり、流出口からの水の流量を調整したりすることができるものである。
【００１４】
上記のように構成したこの実施の形態によるハンドル１にあっては、表面に複数の微小凹凸２が設けられ、各凸部３の先端が尖った形状に形成されているので、ハンドル１を操作する際の摩擦力を高めることができることになる。従って、手が濡れた状態でハンドルを操作して手とハンドル１との間に水が介在しても、その水によって手が滑るようなことはなく、確実にハンドル１を操作することができ、良好な操作性が得られることになる。
【００１５】
なお、前記の説明においては、微小凹凸２の各凸部３の先端を尖らせた形状に形成したが、図３に示すように、各凸部３の先端を丸めた形状に形成しても良い。その場合には、各凸部３を手の表面に滑らかに当接させることができるものである。
【００１６】
図４には、本発明によるハンドルの他の実施の形態が示されていて、このハンドル５は、ポリプロピレン等の合成樹脂を素材として適宜のプラスチック成形法により上端が閉塞された略円筒状に形成したものであって、その他の構成は前記実施の形態に示すものと同様である。なお、６は、滑り止め用の溝である。
【００１７】
そして、この実施の形態に示すハンドル５にあっても、前記実施の形態に示すものと同様に、表面に複数の微小凹凸２が設けられ、各凸部３の先端が尖った形状に形成されているので、ハンドル５を操作する際の摩擦力を高めることができることになる。従って、手が濡れた状態でハンドル５を操作して手とハンドル５との間に水が介在しても、その水によって手が滑るようなことはなく、確実にハンドル５を操作することができ、良好な操作性が得られることになる。
【００１８】
なお、この実施の形態においても、図３に示すように、微小凹凸２の各凸部３の先端を丸めた形状に形成しても良いものであり、その場合には、各凸部３を手の表面に滑らかに当接させることができるものである。
【００１９】
【発明の効果】
本発明は、前記のように構成して、表面のうち少なくとも手と接触する部分に複数の微小凹凸を設けたことにより、手によるハンドルの操作時の摩擦力を高めることができることになる。従って、手が濡れた状態でハンドルを操作して、手とハンドルとの間に水が介在しても、その水によって手が滑るようなことはなく、確実にハンドルを操作することができ、良好な操作性が得られることになる。
【図面の簡単な説明】
【図１】本発明によるハンドルの一実施の形態を示した斜視図である。
【図２】図１に示すものの表面形状の拡大断面図である。
【図３】図１に示すものの表面形状の他の例を示した拡大断面図である。
【図４】本発明によるハンドルの他の実施の形態を示した斜視図である。
【符号の説明】
１、５……ハンドル
２……微小凹凸
３……凸部
４……角部
６……溝
【図１】
2004162302.tif 000003
【図２】
2004162302.tif 000004
【図３】
2004162302.tif 000005
【図４】
2004162302.tif 000006